(57)【要約】【課題】  本発明は、ブリスターパックなどを吊下げ及び自立させて陳列するため、ブリスターパックなどに外装される物品保持体用カバーを提供する。【解決手段】  本発明の物品保持体用カバー１は、台紙の表面に保持手段により物品が保持された立体部を有する物品保持体を収納可能で且つシート材から形成されたカバー本体２と、前記物品保持体を係止する係止片３と、を有し、前記カバー本体２が、両側縁同士が接続されて互いに対向した表シート２１及び裏シート２２と、前記表シート２１の下縁と裏シート２２の下縁の間に設けられ且つ前記物品保持体を挿入脱可能な開口部と、を有し、前記係止片３が、前記裏シート２２の下方から延設されており、前記係止片３と裏シート２２の境界に、上向きに湾曲又は屈曲した折り罫線５が形成されている。【選択図】  図２
2012229045.tif 000002
【特許請求の範囲】
【請求項１】
台紙の表面に保持手段により物品が保持された立体部を有する物品保持体を収納可能で且つシート材から形成されたカバー本体と、前記物品保持体を係止する係止片と、を有し、
前記カバー本体が、両側縁同士が接続されて互いに対向した表シート及び裏シートと、前記表シートの下縁と裏シートの下縁の間に設けられ且つ前記物品保持体を挿入脱可能な開口部と、を有し、
前記係止片が、前記裏シートの下方から延設されており、前記係止片と裏シートの境界に、上向きに湾曲又は屈曲した折り罫線が形成されている、物品保持体用カバー。
【請求項２】
前記表シートの面内には、収納される前記物品保持体の立体部の一部分を露出させる窓部が形成されている、請求項１に記載の物品保持体用カバー。
【請求項３】
前記窓部が、収納される前記物品保持体の本体部の一部分を、窓部の下縁よりも外側に突出した状態で露出させることができるように形成されている、請求項２に記載の物品保持体用カバー。
【発明の詳細な説明】
【技術分野】
【０００１】
本発明は、台紙に物品が保持された物品保持体に外装されるカバーに関する。
【背景技術】
【０００２】
従来、乾電池、化粧品、医薬品、医薬部外品、お菓子、玩具などの各種物品が、台紙の表面に保持された物品保持体が知られている。かかる物品保持体の代表的なものとしては、ブリスターパックが挙げられる。
ブリスターパックは、一般に、台紙と、透明な合成樹脂製シートを成形した収納部材と、を有する。収納部材は、その一部分に物品収納用の収納凸部が形成され、且つその収納凸部の端縁からフランジ部が延設されている。その収納凸部に物品を入れた状態で、前記収納部材のフランジ部を前記台紙の表面に接着することにより、ブリスターパックが構成される（特許文献１及び２）。
【０００３】
ところで、ブリスターパックは、通常、ハンガー棒に吊り下げられて陳列販売されるが、載置面に自立させて陳列させたい場合もある。なお、自立とは、ブリスターパックの物品が購入者から見えやすいように、載置面に対して台紙が直交するようにして、ブリスターパックを載置面に立てて置くことである。
この点、特許文献１のように、台紙の表面の略中央部に収納部材が取り付けられたブリスターパックは、自立させることはできない。
一方、特許文献２のように、収納部材（シート成形品からなるカバー部材）の下部を下方に突出させたブリスターパックは、前記収納部材の下部を載置面に載せることによって自立させることができる。
【０００４】
しかしながら、特許文献２のブリスターパックは、例えば、上方側が重い物品（重心が上方側にある物品）を収納した場合、下部が前方にも延びるように突出しておかなければ安定的に自立させることができない。この収納部材の下部が余りに前方に延びて出っ張っていると、全体の形状が歪になり、梱包時、より多くのブリスターパックを梱包箱に入れることができない。さらに、前記収納部材の下部を利用して自立させる構造は、収納部材の下方が台紙の下縁から随分と離れた、特許文献１のようなブリスターパックには適用できない。
【０００５】
この点、合成樹脂製シートを直方体状に組み立てた箱型透明ケースの底面に対して台紙が直交するように、前記箱型透明ケースにブリスターパックを入れ、このケースの底面を載置面に載せれば、ブリスターパックを間接的に自立させることができる。
しかしながら、この種の箱型透明ケースは、ブリスターパックを入れた状態でも内部に大きな空間が残っているので、１つの梱包箱に入れ得る箱型透明ケースの数がブリスターパック単独の場合に比して少なくなる。
また、箱型透明ケースは、組み立て作業に時間が掛かる上、ブリスターパックの重量によって底面が撓んで抜けるおそれがあるので、底面の組み立て構造を特に強固なものとしなければならない。
【先行技術文献】
【特許文献】
【０００６】
【特許文献１】特開２０１１−０３１９６７号公報
【特許文献２】特開２０１０−２６５０１８号公報
【発明の概要】
【発明が解決しようとする課題】
【０００７】
本発明の目的は、物品保持体を吊下げ及び自立させて陳列できる物品保持体用カバーを提供することであり、さらに、比較的簡易な構造でありながら吊り下げたときに物品保持体の落下を防止できる物品保持体用カバーを提供することである。
【課題を解決するための手段】
【０００８】
本発明の物品保持体用カバーは、台紙の表面に保持手段により物品が保持された立体部を有する物品保持体を収納可能で且つシート材から形成されたカバー本体と、前記物品保持体を係止する係止片と、を有し、前記カバー本体が、両側縁同士が接続されて互いに対向した表シート及び裏シートと、前記表シートの下縁と裏シートの下縁の間に設けられ且つ前記物品保持体を挿入脱可能な開口部と、を有し、前記係止片が、前記裏シートの下方から延設されており、前記係止片と裏シートの境界に、上向きに湾曲又は屈曲した折り罫線が形成されている。
【０００９】
上記本発明の物品保持体用カバーは、折り罫線において係止片をカバー本体内に折り曲げて使用される。折り罫線は、上向きに湾曲又は屈曲しているので、そこで折り曲げられた係止片は、湾曲し且つ斜めに折れ曲がった状態となる。係止片が内側に折り曲げられた物品保持体用カバーを載置面に載せると、物品保持体用カバーは、裏シート側に若干傾いた状態で自立する。このように、本来、裏シート側に傾いて自立する物品保持体用カバーに対して、その内部に表シート側に重心が偏るブリスターパックを収納することにより、前記カバーは安定的に自立する。
また、上記物品保持体用カバーは、係止片により物品保持体を係止できるので、吊り下げたときに、収納される物品保持体が落下することを防止できる。
【００１０】
本発明の好ましい物品保持体用カバーは、前記表シートの面内に、収納される前記物品保持体の立体部の一部分を露出させる窓部が形成されている。
より好ましくは、前記窓部が、収納される前記物品保持体の立体部の一部分を、窓部の下縁よりも外側に突出した状態で露出させることができるように形成されている。
かかる物品保持体用カバーは、収納される物品保持体の立体部を窓部において支持できるので、収納される物品保持体が落下することを確実に防止できる。
【発明の効果】
【００１１】
本発明の物品保持体用カバーは、物品保持体を収納した状態で、吊り下げることもできるし、安定的に自立させることもできる。
さらに、本発明の物品保持体用カバーは、物品保持体を収納した状態で吊り下げたときに、その物品保持体が開口部から落下するおそれがない。
【図面の簡単な説明】
【００１２】
【図１】本発明の第１実施形態に係る物品保持体用カバーの正面図。
【図２】同の背面図。
【図３】同底面図。
【図４】同カバーの係止片をカバー本体内に折り曲げた状態の底面図。
【図５】同カバーの係止片をカバー本体内に折り曲げた状態の側面図。
【図６】同カバーの形成のために用いられる展開シートの正面図。
【図７】ブリスターパックの正面図。
【図８】同側面図。
【図９】本発明の第１実施形態に係る物品保持体用カバーにブリスターパックを収納した包装体の正面図。
【図１０】同包装体の底面図。
【図１１】同包装体の側面図。
【図１２】図９のＸＩＩ−ＸＩＩ線断面図（幅方向中央部における縦断面図）。
【図１３】本発明の第２実施形態に係る物品保持体用カバーの形成のために用いられる展開シートの正面図。
【図１４】本発明の第２実施形態に係る物品保持体用カバーにブリスターパックを収納した包装体の幅方向中央部における縦断面図。
【図１５】本発明の第３実施形態に係る物品保持体用カバーの背面図。
【発明を実施するための形態】
【００１３】
以下、本発明の実施の形態について図面を参照しながら説明する。
本明細書において、方向を指す用語は、便宜上、物品保持体用カバー、物品保持体又は包装体を載置面に自立させた状態を基準としており、「上」は、載置面から離れる側を、「下」は、載置面に近づく側を指す。
幅方向は、物品保持体用カバー、物品保持体又は包装体を正面から見て、その上下方向に対して直交する方向であり、それらを構成する部材又は部分の幅は、その幅方向における長さをいう。
【００１４】
［第１実施形態］
図１〜図５に於いて、物品保持体用カバー１は、物品保持体を収納可能なカバー本体２と、収納された物品保持体を係止する係止片３と、を有する。
前記カバー本体２及び係止片３は、シート材から形成されている。
前記カバー本体２は、両側縁同士が接続された表シート２１及び裏シート２２と、物品保持体を挿入脱する開口部２３と、吊り下げ用のヘッダー片２４と、を有する。
前記係止片３は、前記裏シート２２の下方から延設されている。前記係止片３と裏シート２２の境界には、上向きに湾曲又は屈曲した折り罫線５が形成されている。かかる物品保持体用カバー１は、比較的簡易な構造である。
以下、本発明の第１実施形態を詳細に説明する。
【００１５】
（物品保持体）
物品保持体は、台紙と、台紙の表面に保持手段により保持された物品（図示せず）と、を有する。物品が保持された部分は、台紙の表面から突出しており、その三次元的に突出した部分が立体部である。
なお、台紙の「紙」は、台紙が紙製であるという意味ではないことに留意されたい。
【００１６】
前記物品保持体としては、特に限定されないが、代表的には、ブリスターパックが挙げられる。
本実施形態では、物品保持体として、ブリスターパックを例にして説明する。
ブリスターパック７は、図７及び図８に示すように、台紙８と収納部材９とを有し、収納部材９に物品（図示せず）が収納されている。
【００１７】
収納部材９は、収納凸部９１とフランジ部９２とを有する。この収納部材９が、物品を保持する保持手段に相当する。
収納部材９は、合成樹脂の成形品によって形成されており、比較的剛性の高い部材である。
収納部材９の材質は、特に限定されず、例えば、ポリエチレンテレフタレート、ポリ塩化ビニル、ポリプロピレン、ポリスチレン等の熱可塑性樹脂が挙げられる。収納部材９は、収納した物品を透視するため、透明又は半透明であることが好ましいが、不透明な材質を用いてもよい。
【００１８】
収納部材９は、射出成形法によって形成することもできるが、通常、シート成形法によって形成される。前記シート成型法に用いるシートとしては、熱可塑性樹脂製シート、複数の熱可塑性樹脂製シートが一体的に積層された積層シートなどが挙げられる。
収納部材９の厚みは、０．１ｍｍ〜２ｍｍであり、好ましくは０．２ｍｍ〜１ｍｍである。
【００１９】
収納部材９の一部分には、凸状に突出した収納凸部９１が形成されている。収納部材９の収納凸部９１は、物品を収納する凹状の収納空間を有する。この収納凸部９１は、正面壁９１１と、前記正面壁９１１の周端縁から正面壁９１１に対して略直交するように延設された周面壁９１２と、を有する。
さらに、前記収納凸部９１の端縁（周面壁９１２の端縁）から周面壁９１２に直交する方向に、フランジ部９２が延設されている。このフランジ部９２は、収納凸部９１の突出方向を法線とする平坦面を有する。フランジ部９２は、収納凸部９１の周囲に形成されているので、フランジ部９２の平坦面は、収納凸部９１を囲繞するような環状である。フランジ部９２の平坦面は、台紙８と接着する被接着面である。
【００２０】
収納凸部９１の形状は、物品の形状などに応じて適宜設計される。本実施形態では、収納凸部９１は、その上方部の幅が下方部の幅よりも広く形成されている。
具体的には、収納凸部９１は、図７のように正面から見て、その下端縁から上下方向中途部までの幅（収納凸部９１の下方部の幅）が略一定で、その中途部から上端縁までの幅（収納凸部９１の上方部の幅）が上方に向かうに従って徐々に広くなった後にさらに上方に向かうに従って徐々に狭くなっている。従って、収納凸部９１の上方部は、収納凸部９１の幅が最大となった部分を有する。
【００２１】
また、収納凸部９１の高さは、一定でなく、収納凸部９１の上下方向において異なっている。従って、収納凸部９１は、その高さが最も高い部分を有する。前記最も高い部分は、収納凸部９１の正面壁９１１のある一点とは限られず、二点以上の場合もあるし、或いは、ある程度の拡がり有する領域でもよい。
収納凸部９１の高さは、図８のように側面をから見て、フランジ部９２から正面壁９１１の表面までの長さである。
さらに、収納凸部９１の正面壁９１１は、上方向に向かうに従って徐々に外側に傾斜した、傾斜面９１１ａを有する。この正面壁９１１の傾斜面９１１ａは、収納凸部９１の下方部から上方部の中途にまで形成されている。
【００２２】
収納凸部９１は、その下端縁における高さが最小であり、その下方部の高さは上方に向かうに従って徐々に高くなっている。つまり、収納凸部９１の正面壁９１１の下方部は、上方に向かうに従って外側に傾斜している（前記傾斜面９１１ａ）。
さらに、収納凸部９１は、下方部の途中から上方部の途中までの高さが上方に向かうに従って徐々に高くなった後（前記傾斜面９１１ａ）、上方部の中途から上端縁までの高さが略一定である。この収納凸部９１の上方部の中途から上端縁までの領域が、収納凸部９１の最も高い部分に相当する。
上記のような形状の収納部材９は、例えば、Ｔ字型安全剃刀を収納するために好適な形状である。
【００２３】
台紙８は、例えば、正面視略矩形状に形成されている。もっとも、台紙８の形状は略矩形状に限られず、適宜変更できる。
台紙８の材質は特に限定されず、例えば、厚紙、合成樹脂製シート、合成紙、これらに金属蒸着膜などの適宜な層が積層されたもの、及びこれらの中から選ばれる２種以上を積層した積層シートなどが挙げられる。台紙８は、好ましくは可撓性を有する。
なお、台紙８の表面及び裏面には、必要に応じて、デザインなどの所望の表示が印刷されていてもよい。
【００２４】
前記収納部材９の収納凸部９１内に物品（例えば、Ｔ字型安全剃刀など）を入れた後、前記フランジ部９２の被接着面に台紙８を接着することにより、物品入りのブリスターパック７が得られる。収納凸部９１に物品を入れてそれを保持した収納部材９は、台紙８の表面から外側に突出している。物品が保持され且つ台紙８から突出された収納部材９が、物品保持体の立体部に相当する。
フランジ部９２に対する台紙８の接着方法は特に限定されず、例えば、接着剤を用いた接着、熱融着による接着、溶剤を用いた溶着などが挙げられる。
【００２５】
（物品保持体用カバー）
物品保持体用カバー１は、図１〜図５に示すように、カバー本体２と係止片３とを有し、これらは、シート材から形成されている。
カバー本体２は、前記ブリスターパック７（物品保持体）を収納する部材であり、主として、表シート２１と裏シート２２とを有する。前記表シート２１と裏シート２２は互いに対向するように重ねられ、その両側縁同士が接続されることによって、カバー本体２が形成されている。なお、シート材から形成されるカバー本体２は、例えば、１枚のシート材を適宜の形状に形成し、これを組み立てることにより構成されている。このため、前記表シート２１と裏シート２２の接続部である両側縁には、直線状折り罫線が形成されている。もっとも、本発明の物品保持体用カバー１は、１枚のシート材に限られず、２枚以上のシート材を接続し且つ組み合わせることにより構成することもできる。
【００２６】
本実施形態においては、表シート２１の一方の側縁と裏シート２２の一方の側縁が直線状折り罫線を介して連設され、表シート２１の他方の側縁から直線状折り罫線を介して連設された糊代片２５を裏シート２２側に折り曲げ、この糊代片２５を裏シート２２の他方の側部に貼り合わすことによって、カバー本体２が形成されている。
図６は、本実施形態に係る物品保持体用カバー１を形成するための、特定の形状に形成された展開シートの正面図である。なお、図６において、全ての折り罫線を一点鎖線で表している。
物品保持体用カバー１の各部に対応する展開シートの各部に、物品保持体用カバー１と同じ符号を付している。
【００２７】
表シート２１及び裏シート２２の正面視形状は、略同一でもよいし、異なっていてもよい。ブリスターパック７を収納していない状態において、カバー本体２を扁平状に畳むために、前記表シート２１及び裏シート２２の正面視形状は、略同一であることが好ましく、又、前記表シート２１及び裏シート２２の正面視形状が異なる場合には、表シート２１の幅と裏シート２２の幅が略同一である正面視形状が好ましい。
本実施形態では、表シート２１及び裏シート２２の正面視形状は、互いに略同一な略矩形状に形成されている。
【００２８】
カバー本体２の一部分には、ブリスターパック７を挿入脱可能な開口部２３が設けられている。例えば、表シート２１の下縁及び裏シート２２の下縁で囲われる部分に、前記開口部２３が設けられている。もっとも、本実施形態のカバー本体２は、後述するように、表シート２１の上縁及び裏シート２２の上縁は閉塞されていないので、両上縁で囲われる部分からブリスターパック７を挿入脱することもできる。つまり、使用上、物品の挿入脱は、カバー本体２の下方にある開口部２３に限られず、カバー本体２の上方にある開口部を通じて行ってもよい。
【００２９】
カバー本体２の最小幅（本実施形態では、表シート２１の幅又は裏シート２２の幅に相当する）は、ブリスターパック７の台紙８の最大幅（本実施形態では、台紙８の幅は上下方向において一定なので、台紙８の最大幅は台紙８の幅に等しい）よりも広く、好ましくは、カバー本体２の最小幅は、台紙８の最大幅の１．０１倍〜１．０５倍程度である。このような最小幅を有するカバー本体２であれば、前記開口部２３からブリスターパック７を挿入脱でき、且つ、カバー本体２内にブリスターパック７を収納保持できる。
【００３０】
さらに、前記カバー本体２の裏シート２２の下縁には、係止片３が下方に延設されている。
係止片３は、カバー本体２に収納されるブリスターパック７の下縁に係合し、ブリスターパック７がカバー本体２から落下することを防止すると共に、カバー本体２の立体形状を維持する部材である。
係止片３の幅方向両端部には、表シート２１を内側から外側に向かって押圧する一対の押圧部３１，３１が設けられている。この一対の押圧部３１，３１は、係止片３の一部分であり、係止片３の幅方向中央部を基準として対称的に設けられていることが好ましい。また、係止片３の下縁は、折り罫線５と略同じ形状（折り罫線５と略平行な形状）に形成されているが、係止片３の下縁の形状は、折り罫線５と略同じ形状でなくてもよい。
【００３１】
前記係止片３は、裏シート２２の境界に形成された折り罫線５を介して、裏シート２２に連設されている。この折り罫線５は、上向きに湾曲した曲線状であり、折り罫線５の両端部は、裏シート２２の両側縁下部に一致している。つまり、折り罫線５は、裏シート２２の一方の側縁下部及び他方の側縁下部をそれぞれ始点として、そこから裏シート２２の幅方向略中央部に向かって上向き曲線状に延びた一対の線がその略中央部で繋がることによって構成されている。
折り罫線５の曲率は、特に限定されないが、余りに曲率が小さいと折り罫線５において係止片３を折り曲げることが困難となり、余りに曲率が大きいと、実質的に直線と変わらなくなり、本発明の効果を奏しないおそれがある。
【００３２】
また、折り罫線５の高低差Ｈは、カバー本体２の幅などに応じて適宜設計できる。本発明の効果を十分に発揮するために、折り罫線５の高低差Ｈは、１ｍｍ〜５ｍｍが好ましく、１ｍｍ〜４ｍｍがより好ましい。ただし、前記折り罫線５の高低差Ｈの好ましい範囲は、例えば、カバー本体２の幅が７０ｍｍ〜１５０ｍｍである場合の例示である。前記折り罫線５の高低差Ｈの好ましい範囲は、カバー本体２の具体的な幅を前記例示の値から大小に変化させる場合、その変化させた割合に対応した割合で変化させることが好ましい。
なお、折り罫線５の高低差Ｈとは、折り罫線５の前記始点と折り罫線５の前記略中央部との間の上下方向における長さをいう（図２参照）。
【００３３】
本明細書において、折り罫線５は、特に限定されず、通常公知のものを使用できる。例えば、シート材の厚み方向に切り込んだＶノッチ線、ミシン目線（所謂、リード罫線等）、押し罫線などが挙げられる。
【００３４】
物品保持体用カバー１の保管時には、係止片３は、折り罫線５において折り曲げられずに、裏シート２２と略同一面上に延ばしたままとされる。このような状態の物品保持体用カバー１は、図３に示すように扁平状であるため、保管・運搬などに便利である。
前記係止片３を折り罫線５においてカバー本体２の内部（裏シート２２の内側）に折り曲げると、裏シート２２と係止片３の境界である折り罫線５に沿って、係止片３は、幅方向に湾曲し且つ裏シート２２に対して斜めに折れ曲がった状態となる（図４参照）。この湾曲した係止片３は、裏シート２２の下方部を湾曲状に変形させると共に、斜めに折れ曲がった係止片３は、その一対の押圧部３１，３１が表シート２１の下方部の両端部を内側から外側へ押圧する。このため、ブリスターパック７を収納していない状態であっても、物品保持体用カバー１は、カバー本体２の下方部が底面視紡錘状に拡張する。
【００３５】
係止片３が内側に折り曲げられた物品保持体用カバー１を、カバー本体２の下縁を載置面Ａに載せると、図５に示すように、載置面Ａに対して直交状に自立せず、若干、裏シート２２側に傾いた状態で自立する（図５の矢印に示す側に傾いて自立する）。つまり、表シート２１と裏シート２２の一方の側縁が載置面Ａに対して直交せず、その側縁が載置面Ａに対して裏シート２２側に若干傾いた状態で、物品保持体用カバー１が自立する。これは、係止片３が上向きに湾曲した折り罫線５にて折り返されているので、裏シート２２の両側縁下部は載置面Ａに接するが、裏シート２２の下縁の中央部及びその近傍が載置面Ａから浮くからである。つまり、係止片３が内側に折り曲げられた物品保持体用カバー１は、内部にブリスターパック７を収納していない状態では、裏シート２２側に若干傾斜して自立する。
【００３６】
また、湾曲し且つ斜めに折れ曲がった係止片３は、折れ曲がりが解除され難い（係止片３が、裏シート２２と略同一面上になる、元の状態に戻り難い）。このため、係止片３がブリスターパック７の荷重を下方から支持し、ブリスターパック７の落下を防止できる。
仮に、折り罫線５が裏シート２２の一方の側縁下部から他方の側縁下部まで直線状に形成されていると、係止片３を折り曲げても係止片３が湾曲することはない。このため、かかる直線状の折り罫線５にて折り返された係止片３は、カバー本体２の下方部を底面視紡錘状に維持する機能（保形機能）及びブリスターパック７を下方から支持する機能（支持機能）が殆どないか、又は、本発明のものに比してそれらの機能が極めて弱い。
【００３７】
前記係止片３の幅は、裏シート２２の幅と同じでもよい。なお、係止片３の幅と裏シート２２の幅が同じの場合には、係止片３の両側縁と裏シート２２の両側縁が実質的に同一直線上にある。
もっとも、係止片３をカバー本体２内に折り曲げ易くするために、係止片３の幅は、裏シート２２の幅よりも短いことが好ましい。ただし、余りに係止片３の幅が短いと、係止片３が前記保形機能及び支持機能を十分に奏しないおそれがある。この点を考慮すると、係止片３の幅は、裏シート２２よりも短く、且つ、係止片３の両側縁と裏シート２２の両側縁との間がそれぞれ１ｍｍ〜５ｍｍ程度離れていることがより好ましい。
【００３８】
係止片３の上下方向長さ（延設長さ）は、特に限定されないが、余りにこれが短いと、係止片３が前記保形機能を十分に奏しないおそれがあり、一方、余りにこれが長いと、係止片３をカバー本体２の内側に折り返すことが困難となる。この点を考慮すると、係止片３の上下方向長さは、５ｍｍ〜１５ｍｍが好ましく、５ｍｍ〜１０ｍｍがより好ましい。ただし、前記係止片３の上下方向長さの好ましい範囲は、例えば、カバー本体２の幅が７０ｍｍ〜１５０ｍｍである場合の例示である。前記係止片３の上下方向長さの好ましい範囲は、カバー本体２の具体的な幅を前記例示の値から大小に変化させる場合、その変化させた割合に対応した割合で変化させてもよい。或いは、カバー本体２の具体的な幅が前記例示の値以外であっても、係止片３の上下方向長さは、前記好ましい範囲のままでもよい。
係止片３の上下方向長さがその幅方向において異なる場合（つまり、係止片３の下縁が折り罫線５の形状と略同じ形状でない場合）、前記係止片３の上下方向長さは、係止片３の押圧部３１における上下方向長さを意味する。
【００３９】
表シート２１の面内には、収納されるブリスターパック７の収納部材９の収納凸部９１（つまり、立体部）の一部分を外側に露出させるための窓部４が形成されている。
好ましくは、窓部４は、収納されるブリスターパック７の収納部材９の収納凸部９１（つまり、立体部）の一部分を、窓部４の下縁４ａよりも外側に突出した状態で露出させることができるように形成されている。
【００４０】
例えば、前記窓部４は、収納凸部９１の最も高い部分を含む収納凸部９１の一部分を外側に露出させることができる。上記ブリスターパック７は、収納凸部９１の上方部が最も高い部分を含んでいるので、窓部４は、図示したように、収納凸部９１の上方部の全部を露出させるような形状に形成されている。なお、露出させる収納凸部９１の一部分が最も高い部分を含んでいる限り、窓部４は、収納凸部９１の上方部の全部を露出させることができる場合に限定されず、その上方部の一部でもよいし、或いは、上方部の一部又は全部と下方部の上方側の一部を露出させることができるように形成されていてもよい。
【００４１】
窓部４は、表シート２１の面内を無端状の切取線で切り取った領域内に生じる開口である。窓部４の縁は、この切り取りによって生じる縁であり、窓部４の下縁４ａは、その下方側の縁である。
【００４２】
さらに、表シート２１の上方には、フラップ片２６が上方に延設されている。表シート２１の上縁とフラップ片２６の境界には、幅方向に直線状に延びる直線状折り罫線が形成されている。このフラップ片２６は、前記直線状折り罫線を介して、カバー本体２の内側に折り曲げられて、表シート２１と裏シート２２の間に介装されている。本実施形態のカバー本体２は、表シート２１の上縁及び裏シート２２の上縁は閉塞されていないので、フラップ片２６は、収納されたブリスターパック７が表シート２１の上縁及び裏シート２２の上縁の間から抜け出ることを防止するための、蓋部材として機能する。
【００４３】
前記フラップ片２６の幅は、表シート２１の幅と同じでもよいが、フラップ片２６をカバー本体２内に折り曲げ易くする観点から、前記係止片３と同様に、表シート２１の幅よりも短いことが好ましい。なお、フラップ片２６は、ブリスターパック７がカバー本体２の上方から抜け出ることを防止するものなので、その幅は、係止片３の幅よりも短くても不都合はない。
また、前記フラップ片２６の上下方向長さ（延設長さ）は、特に限定されないが、余りにこれが短いと、蓋部材として機能せず、一方、余りにこれが長いと、フラップ片２６をカバー本体２の内側に折り返すことが困難となる。この点を考慮すると、フラップ片２６の上下方向長さは、例えば、カバー本体２の幅が７０ｍｍ〜１５０ｍｍである場合、７ｍｍ〜１５ｍｍが好ましく、７ｍｍ〜１０ｍｍがより好ましい。
【００４４】
また、裏シート２２の上方には、ヘッダー片２４が上方に延設されている。裏シート２２の上縁とへッダー片２４の境界に、所望の折り罫線が形成されていてもよいが、通常は、かかる折り罫線は形成しないことが好ましい。
ヘッダー片２４の面内の幅方向略中央部には、吊下げ用の孔２７が穿設されている。
なお、図示例では、前記フラップ片２６が表シート２１に設けられ且つ前記ヘッダー片２４が裏シート２２に設けられているが、反対に、前記フラップ片２６を裏シート２２の上方に設け、且つ前記ヘッダー片２４を表シート２１の上方に設けてもよい。
【００４５】
（物品保持体用カバーの使用方法及び包装体）
次に、上記物品保持体用カバー１の使用方法を説明する。
物品保持体用カバー１は、通常、上述のように扁平状に畳んだ状態で、保管・運搬に供される。
なお、物品保持体用カバー１を扁平状にするときには、図示したように、フラップ片２６をカバー本体２の内側に折り曲げていてもよいし、或いは、図示しないが、フラップ片２６を外側に出しておいてもよい（フラップ片２６を表シート２１と略同一面上にした状態でもよい）。
【００４６】
そして、前記扁平状の物品保持体用カバー１のカバー本体２の開口部２３を開き、その開口部２３からブリスターパック７をカバー本体２内に挿入する。ブリスターパック７を挿入すると、ブリスターパック７の収納凸部９１の上方部が、カバー本体２の窓部４に嵌り込むと共に、台紙８の上方部が、内側に折り曲げられたフラップ片２６と表シート２１との間に入り込む。窓部４に嵌り込んだ収納凸部９１の上方部の周面壁９１２及び正面壁９１１の一部は、窓部４の縁（窓部４の下縁４ａを含む縁）に接する又はその縁の近傍に位置する。このため、収納凸部９１の上方部の周面壁９１２が、窓部４の上縁に係止され、フラップ片２６と表シート２１の間に差し入れられた台紙８の上縁が、フラップ片２６に係止される。よって、ブリスターパック７は、上方への移動が規制された状態で、カバー本体２内に収納される。
【００４７】
また、収納凸部９１の上方部の正面壁９１１の表面が、窓部４の下縁４ａよりも外側に突出すると共に、正面壁９１１の一部が、窓部４の下縁４ａに接する又はその下縁４ａの近傍に位置している。特に、正面壁９１１の傾斜面９１１ａが窓部４の下縁４ａに接する又はその下縁４ａの近傍に位置している。
【００４８】
次に、ブリスターパック７の台紙８の下方部を挟持するように、係止片３をカバー本体２の内側に折り曲げる。上述のように、折れ曲げられた係止片３は、湾曲し且つ斜めに折れ曲がった状態となり、その折れ曲がりが解除され難い。かかる係止片３によって、ブリスターパック７の台紙８の下端が係止される。
このようにして、図９〜図１２に示すように、ブリスターパック７（物品保持体）と、このブリスターパック７を外装した物品保持体用カバー１と、を有する包装体１０が得られる。
なお、ブリスターパック７を収納すると、物品保持体用カバー１の裏シート２２が湾曲するので、それに追従して可撓性を有する台紙８も湾曲する。
【００４９】
上記包装体１０は、吊下げ用の孔２７をハンガー棒に挿入することにより、吊下げて陳列することもできるし、或いは、カバー本体２の下方を載置面に置くことにより、自立させて陳列することもできる。
上記包装体１０は、折り曲げられた係止片３によって台紙８の下縁が係止されているので、包装体１０を吊り下げたり、或いは、これを吊下げ状態で運搬するときに、ブリスターパック７がカバー本体２の開口部２３から落下することを防止できる。
さらに、収納凸部９１の上方部の正面壁９１１の表面が、窓部４の下縁４ａよりも外側に突出しているので、自重によりブリスターパック７が下方に移動しようとしても、収納凹部の上方部の高い部分が窓部４の下縁４ａに係止される。このため、前記係止片３の支持機能と窓部４の係止の相乗により、ブリスターパック７の落下を確実に防止できる。
【００５０】
また、上述のように、本発明の物品保持体用カバー１は、ブリスターパック７を収納せずに係止片３を折り曲げた状態で自立させると、裏シート２２側に傾く（図５参照）。けれども、かかる物品保持体用カバー１内に、台紙８の表面に立体部が突出したブリスターパック７を収納すると、ブリスターパック７の重心が表シート２１側に位置するので、包装体１０は安定的に自立し得る。
また、係止片３には押圧部３１が設けられているので、上述のように、係止片３は、ブリスターパック７を収納していなくても、保形機能を有する。このため、ブリスターパック７を収納した場合でも、図１０に示すように、カバー本体２の下方部が底面視紡錘状となる。かかる底面視形状を有する包装体１０は、より安定的に自立する（図１１及び図１２参照）。
【００５１】
前記包装体１０のブリスターパック７を取り出す際には、係止片３の係止を解除した後（係止片３を外側に戻した後）、物品保持体用カバー１の開口部２３を通じてブリスターパック１０を下方に引き出せばよい。
前記包装体１０は、ブリスターパック７の正面壁９１１の傾斜面９１１ａが窓部４の下縁４ａに接する又はその下縁４ａの近傍に位置しているので、前述のブリスターパック７を引き出す際に、ブリスターパック７の収納部材９が窓部４の下縁４ａに引っ掛かることなく、ブリスターパック７の下方移動に伴い適宜表シート２１が変形する。このため、ブリスターパック７を円滑に取り出すことができる。
【００５２】
なお、本発明の物品保持体用カバー、物品保持体及び包装体は、上記第１実施形態に限られず、本発明の意図する範囲で、適宜変更することができる。以下、本発明の他の実施形態を説明する。ただし、以下の他の実施形態の説明においては、上記第１実施形態と異なる事項について主として説明し、上記第１実施形態と同様の構成及び効果については、その説明を省略し且つ用語及び符号を援用する場合がある。また、以下では、様々な他の実施形態を説明するが、それらの実施形態の各構成を、本発明の意図する範囲で適宜組み合わすことも可能である。
【００５３】
［第２実施形態］
上記第１実施形態におけるカバー本体２は、表シート２１の上縁及び裏シート２２の上縁が閉塞されていないが、本発明の物品保持体用カバー１は、カバー本体２の下方に開口部２３を有する限り、表シート２１の上縁及び裏シート２２の上縁が閉塞されていてもよいし、或いは、カバー本体２のその他の部分が開口されていてもよい。
図１３は、表シート２１の上縁及び裏シート２２の上縁が閉塞されている物品保持体用カバー１を形成するための、展開シートの正面図である。なお、図１３において、全ての折り罫線を一点鎖線で表している。
【００５４】
この展開シートは、表シート２１の両側縁から直線状折り罫線を介して糊代片２５，２５がそれぞれ連設されている。また、表シート２１の上方及び裏シート２２の上方からヘッダー片２４，２４がそれぞれ延設され、この一対のヘッダー片２４，２４は上縁において互いに接続されている。この展開シートを前記一対のヘッダー片２４，２４の境界に形成された直線状折り罫線において合掌状に折り曲げ、各糊代片２５，２５を裏シート２２の両側部に貼り合わすことによって、第２実施形態の物品保持体用カバー１が形成される。ただし、第２実施形態の物品保持体用カバー１は、カバー本体２の上方が閉塞されているので、上記第１実施形態のようなフラップ片２６は設けられていない。
【００５５】
かかる物品保持体用カバー１は、表シート２１の上縁及び裏シート２２の上縁が閉塞されていることを除いて、上記第１実施形態の物品保持体用カバー１と同様である。第２実施形態の物品保持体用カバー１も、図１４に示すように、ブリスターパック７に外装して使用される。
【００５６】
［第３実施形態］
上記第１実施形態においては、係止片３と裏シート２２の境界に形成される折り罫線５は、上向きに湾曲した線状とされているが、例えば、図１５に示すように、前記折り罫線５が、上向きに屈曲した線状とされていてもよい。このような上向きに屈曲した線状としては、裏シート２２の一方の側縁下部及び他方の側縁下部をそれぞれ始点として、そこから上向きに延びた一対の直線が互いに繋がった山形状などが挙げられる。かかる上向きに屈曲した折り罫線５の屈曲角度は、上向きに湾曲した上記第１実施形態の折り罫線５の曲率などに準じて設定できる。
【００５７】
［その他］
本発明の物品保持体用カバー１は、上記のような形状のブリスターパック７を収納する場合に限られず、様々な形状のブリスターパックを収納できる。
上記第１実施形態以外のブリスターパックを収納する場合、その収納部材の形状に合わせて、上記窓部４の形状も適宜変更される。
さらに、本発明の物品保持体用カバー１は、ブリスターパック７を収納する場合に限られず、他の物品保持体を収納することもできる。
【００５８】
他の物品保持体としては、例えば、（１）台紙に、粘着剤又は両面テープなどの貼着部材を用いて直接物品が取り付けられているもの、（２）台紙に筒状シュリンクフィルムの外面の一部分が取り付けられ且つその筒状シュリンクフィルム内に物品を挿入すると共に前記フィルムを熱収縮させることによって、物品が台紙に保持されているもの、（３）台紙と面状シュリンクフィルムの間に物品を介在させ且つ物品が介在していない領域において台紙と面状シュリンクフィルムを貼着すると共に、そのフィルムを熱収縮させることによって、物品が台紙に保持されているもの、などが挙げられる。
【００５９】
前記（１）の物品保持体は、貼付部材が台紙に物品を保持させる保持手段に相当し、物品そのものが立体部に相当する。
前記（２）の物品保持体は、筒状シュリンクフィルムが台紙に物品を保持させる保持手段に相当し、筒状シュリンクフィルムと物品が立体部に相当する。
前記（３）の物品保持体は、面状シュリンクフィルムが台紙に物品を保持させる保持手段に相当し、面状シュリンクフィルムと物品が立体部に相当する。
【符号の説明】
【００６０】
１…物品保持体用カバー、２…カバー本体、２１…表シート、２２…裏シート、２３…開口部、２４…ヘッダー片、２６…フラップ片、２７…吊下げ用の孔、３…係止片、３１…押圧部、４…窓部、４ａ…窓部の下縁、５…折り罫線、７…ブリスターパック（物品保持体）、８…台紙、９…収納部材（立体部）、９１…収納凸部、９１１ａ…収納凸部の傾斜面、９２…フランジ部、１０…包装体
【図１】
2012229045.tif 000003
【図２】
2012229045.tif 000004
【図３】
2012229045.tif 000005
【図４】
2012229045.tif 000006
【図５】
2012229045.tif 000007
【図６】
2012229045.tif 000008
【図７】
2012229045.tif 000009
【図８】
2012229045.tif 000010
【図９】
2012229045.tif 000011
【図１０】
2012229045.tif 000012
【図１１】
2012229045.tif 000013
【図１２】
2012229045.tif 000014
【図１３】
2012229045.tif 000015
【図１４】
2012229045.tif 000016
【図１５】
2012229045.tif 000017